(57)【要約】【課題】実施形態は、フィルムコンテンツのような高画質情報を効率よく送受信できる方式に着目した電子機器、電子機器の制御方法及び制御プログラムを提供する。【解決手段】この実施形態によれば、第１の取得部が主映像データを取得し、第２の取得部が前記主映像データを高画質化するための差分情報を取得する。そして信号処理部が前記取得された前記主映像データと前記取得された前記差分情報を用いた信号処理であって、前記主映像データと前記差分情報の同期を得るために前記主映像データと前記差分情報に付加されたタイムスタンプを参照して前記主映像データと前記差分情報とを同期させて、高画質化された映像データを出力する。【選択図】図５
2014138201.tif 000002
【特許請求の範囲】
【請求項１】
主映像データを取得する第１の取得部と、
前記主映像データを高画質化するための差分情報を取得する第２の取得部と、
前記取得された前記主映像データと前記取得された前記差分情報を用いた信号処理であって、前記主映像データと前記差分情報の同期を得るために前記主映像データと前記差分情報に付加されたタイムスタンプを参照して前記主映像データと前記差分情報とを同期させて、高画質化された映像データを出力する信号処理部と、
を有する電子機器。
【請求項２】
前記第１の取得部は、第１の受信機であり、前記第２の取得部は第２の受信機である請求項１記載の電子機器。
【請求項３】
前記主映像データは、フレーム周波数が第１の周波数であり、前記差分情報は、第１の周波数よりも低い第２のフレーム周波数である請求項１記載の電子機器。
【請求項４】
前記主映像データは、フィルムコンテンツであって２−３プルダウンされたデータである請求項１記載の電子機器。
【請求項５】
前記第１のフレーム周波数は６０Ｈｚ、前記第２のフレーム周波数は２４Ｈｚである請求項３記載の電子機器。
【請求項６】
前記主映像データは、フィルムコンテンツであって２−３プルダウンされたデータであり、フレーム周波数６０Ｈｚであり、前記差分情報は、フレーム周波数２４Ｈｚであり請求項１記載の電子機器。
【請求項７】
前記信号処理部は、デコードした前記差分情報をフレーム周波数２４Ｈｚから６０Ｈｚに変換する変換器を含み、デコードしたフレーム周波数６０Ｈｚの前記主映像データと変換した６０Ｈｚの差分情報とを画素合成する画素合成器を含む請求項１記載の電子機器。
【請求項８】
前記信号処理部は、デコードしたフレーム周波数６０Ｈｚの前記主映像データを２４Ｈｚに変換する変換器を含み、デコードした２４Ｈｚの差分情報と変換した６０Ｈｚの前記主映像データとを合成する画素合成器を含む請求項１記載の電子機器。
【請求項９】
前記主映像データと前記差分情報は、フレーム周波数が第２の周波数で送信され送信される請求項１記載の電子機器。
【請求項１０】
前記主映像データと前記差分情報は、フィルムコンテンツから得られたデータであり、前記第２の周波数は２４Ｈｚであり、
前記信号処理部は、デコードした前記主映像データと前記差分情報とを実質的に同じフレーム周波数の状態で、画素合成する請求項９記載の電子機器。
【請求項１１】
信号処理部を制御して再生映像データを得る電子機器の制御方法において、
主映像データを取得し、
前記主映像データを高画質化するための差分情報を取得し、
前記取得された前記主映像データと前記取得された前記差分情報を用いた信号処理であって、前記主映像データと前記差分情報の同期を得るために前記主映像データと前記差分情報に付加されたタイムスタンプを参照して前記主映像データと前記差分情報とを同期させて、高画質化された映像データを出力する、
電子機器の制御方法。
【請求項１２】
前記主映像データは、フィルムコンテンツであって２−３プルダウンされたデータである請求項１１記載の電子機器の制御方法。
【請求項１３】
信号処理部を制御して再生映像データを得る電子機器を制御する制御プログラムにおいて、
主映像データを取得するステップと、
前記主映像データを高画質化するための差分情報を取得するステップと、
前記取得された前記主映像データと前記取得された前記差分情報を用いた信号処理であって、前記主映像データと前記差分情報の同期を得るために前記主映像データと前記差分情報に付加されたタイムスタンプを参照して前記主映像データと前記差分情報とを同期させて、高画質化された映像データを出力するステップと、
を有する電子機器の制御プログラム。
【請求項１４】
前記主映像データは、フィルムコンテンツであって２−３プルダウンされたデータである請求項１３記載の電子機器の制御プログラム。
【発明の詳細な説明】
【技術分野】
【０００１】
この発明の実施形態は、電子機器、電子機器の制御方法及び制御プログラムに関する。
【背景技術】
【０００２】
現在、普及しているデジタルテレビジョン放送受信装置は、水平方向が１９２０画素で垂直方向が１０８０画素の所謂２ｋ１ｋと称される映像データの表示に対応した装置が一般的である。
【０００３】
これに対して、近年では水平方向が３８４０画素、垂直方向が２１６０画素の４ｋ２ｋと称される映像データや、水平方向が７６８０画素、垂直方向が４３２０画素の８ｋ４ｋと称される映像データのような、上記２ｋ１ｋよりも超高精細な映像データも実現されている。
【０００４】
そして、超高精細な映像データを表示可能なＵＨＤＴＶ（Ultra High Definition TV）の開発も行なわれている。
【０００５】
なお、４ｋ２ｋの画像（動画或いは静画）は、厳格な特別規定があるわけではなく、水平画素数４０００前後、垂直画素数２０００前後のものを意味する。また、水平方向が３８４０画素、垂直方向が２１６０画素の画像、或いは水平方向が４０９６画素、垂直方向が２１６０画素の４ｋ２ｋの画像もある。
【０００６】
上記した情報量の多い映像データの場合、その伝送及び受信方式が従来の規格に合わなくなることが予想される。このために、各種の処理方式が提案されている。
【先行技術文献】
【特許文献】
【０００７】
【特許文献１】特開２０１０−０１１１５４号公報
【発明の概要】
【発明が解決しようとする課題】
【０００８】
しかしながら、映像データとして情報量が多いのみならず、その信号ソースが特殊のものも存在する。
【０００９】
例えば、映画のフィルム（１秒間に２４こま）を、所謂２−３プルダウンした映像データ（１秒間６０フレーム（或いはフィールド）に変換した映像データ）がある。
【００１０】
この種の映像データ（フィルムコンテンツ）が高画質情報を維持できるように送受信する方式については、従来は考えられてなく、その対策が望まれている。
【００１１】
この実施形態は、フィルムコンテンツのような高画質情報を効率よく送受信できる方式に着目した電子機器、電子機器の制御方法及び制御プログラムを提供することを目的とする。
【課題を解決するための手段】
【００１２】
この実施形態によれば、第１の取得部が主映像データを取得する、
第２の取得部が前記主映像データを高画質化するための差分情報を取得する、
信号処理部が、前記取得された前記主映像データと前記取得された前記差分情報用いた信号処理であって、前記主映像データと前記差分情報の同期を得るために前記主映像データと前記差分情報に付加されたタイムスタンプを参照して前記主映像データと前記差分情報とを同期させて、高画質化された映像データを出力する。
【図面の簡単な説明】
【００１３】
【図１】この実施形態が適用された送信機のブロック構成の一例を示す図である。
【図２】２−３プルダウンを説明するために示した説明図である。
【図３】主映像データ及び差分情報を送信するための送信機のブロック構成の一例を示す図である。
【図４】主映像データ及び差分情報を受信するための受信機のブロック構成の一例を示す図である。
【図５】この実施形態の一例であり、主映像データ及び差分情報を合成処理する回路の例を示す図である。
【図６】この実施形態の他の例であり、主映像データ及び差分情報を合成処理する回路の例を示す図である。
【図７】この実施形態のさらに他の例であり、主映像データ及び差分情報を合成処理する回路の例を示す図である。
【図８】この実施形態に係わる表示部における表示映像の例を示す図である。
【発明を実施するための形態】
【００１４】
以下、図面を参照して、実施形態の一例を説明する。図１を参照して、フィルムコンテンツを主映像データと差分情報に分離し、それぞれを独立して送信する送信機の例を説明する。
【００１５】
１０はフィルムコンテンツであり、フレーム周波数或いはフィールド周波数が２４Ｈｚの高画質映像データである。この高画質映像データは、例えば、水平方向が３８４０画素、垂直方向が２１６０画素の４ｋ２ｋと称される映像データである。
【００１６】
高画質映像データは、変換部１２にて、例えば、水平方向が１９２０画素で垂直方向が１０８０画素の所謂２ｋ１ｋと称される映像データ（以下、明細書ではこの映像データを主映像データと称することにする）に変換される。この段階では、主映像データは、２４Ｈｚである。
【００１７】
差分情報生成部１３は、主映像データと高画質映像データとの差分をとり差分情報を生成する。この差分情報は、２４Ｈｚである。
【００１８】
６０Ｈｚ変換部１４は、２４Ｈｚの主映像データを６０Ｈｚの主映像データに変換することができる。この変換は、所謂２−３プルダウンと称される。２−３プルダウン変換においては、図２に示すように、２４Ｈｚのオリジナル信号のフレーム（或いはフィールド）をＡ，Ｂ，Ｃ，Ｄ，Ｅ，・・・・とすると、６０Ｈｚの２−３プルダウン信号は、Ａ，Ａ，Ａ，Ｂ，Ｂ，Ｃ，Ｃ，Ｃ，Ｄ，Ｄ，Ｅ，Ｅ，Ｅ，・・・・の配列とされる、つまりオリジナルのフレームＡ，Ｂ，Ｃ，Ｄ，Ｅ・・・が順次、３回，２回，３回，２回，３回、・・・（所謂、２−３パターン）を繰り返して使用される。
【００１９】
６０Ｈｚ変換部１４からの２−３プルダウン主映像データと、２４Ｈｚ主映像データは、セレクタ１６に入力され、何れか一方が選択されて出力される。送信すべき周波数が指定されているときは、セレクタ１６及び又は６０Ｈｚ変換部１４は必ずしも必要ではない。
【００２０】
一方、差分情報は、６０Ｈｚ変換部１５で、６０Ｈｚの差分情報に変換される。セレクタ１７は、６０Ｈｚの差分情報又は２４Ｈｚの差分情報の何れかを選択して出力する。
【００２１】
送信すべき差分情報の周波数が指定されているときは、セレクタ１７及び又は６０Ｈｚ変換部１５は必ずしも必要ではない。６０Ｈｚ変換部１５においても先に説明した２−３プルダウン方式が採用されている。
【００２２】
ベースバンド層タイムスタンプ付加部１９は、例えば２４Ｈｚのベースバンド段階の主映像データと差分情報とに、同期用のタイムスタンプを付加する。例えば、主映像データと、この主映像データに対応する差分情報の垂直同期信号位置のデータとして、同じタイムスタンプを挿入する。したがって、図２のフレームＡには、同じ値のタイムスタンプが付されている。同様に対応する差分情報にも同じタイムスタンプが付されている。
【００２３】
図３は、図２のセレクタ１６、１７からの主映像データと、差分情報とを送信するための送信装置の一例を示している。主映像データは、エンコーダ２１においてエンコードされパケット化され、１つの番組が複数のパケットのストリームとして構築される。主映像データは、映像データとオーディオデータを含むものとする。
【００２４】
映像データは、例えば、ＭＰＥＧ(Moving Picture Expert Group)方式、ＡＶＣ(Advanced Video Coding)方式などでエンコードされている。またオーディオデータは、例えば、ＰＣＭ(Pulse Code Modulation)方式、ＭＰＥＧ方式などでエンコードされている。
【００２５】
その他に、制御器（図示せず）において、各種の制御データを含む制御データパケットも生成される。
【００２６】
差分情報に関しても主映像データと同様に、エンコーダ２５においてエンコードされパケット化される。１つの番組の差分情報が複数のパケットのストリームとして構築される。
【００２７】
各パケットのヘッダにはパケット識別情報（主映像データパケットの識別情報、オーディオデータパケットの識別情報、差分情報パケットの識別情報、パケットの配列順位を示す時間情報、制御データパケットの識別情報、など）が記述される。また差分情報の有無を示すデータが主映像データのパケット識別情報に含まれていてもよい。
【００２８】
また、制御データパケットのデータエリアには、コントロールすべきパケットに関する情報が記述されている。例えばコントロールすべきパケットの放送局名、放送チャンネル、番組名、放送時間帯情報など各種の情報と、コントロールすべきパケットの識別情報テーブルが含まれている。
【００２９】
放送局からは複数の番組が放送されるので、制御データパケットは、複数の番組に関する情報として、上記した放送局名、放送チャンネル、番組名、放送時間帯などコントロールすべきパケットに関する情報を搬送する。
【００３０】
制御データパケットは、主映像データパケットのストリーム及び又は差分情報パケットのストリームに挿入されて送信される。
【００３１】
識別情報付加部２２は、上記した制御データパケットをパケットストリームに挿入するとともに、上記した各種パケット識別情報を対応する各パケットに付加する。
【００３２】
エンコーダ２１から出力された主映像データパケットストリーム（トランスポートストリームと称しても良い）は、変調部２３において放送波として伝送するための信号に変調され、この変調信号は、放送局２４で電波に変換されて放出される。
【００３３】
一方、エンコーダ２５から出力された差分情報パケットストリーム（トランスポートストリームと称しても良い）は、変調部２６においてインターネット送信に適合した高周波信号に変調されて、サーバー２７に送られる。サーバー２７は、インターネット２８を介してユーザから要求される要求信号に応じて、或いは、自動的に差分情報を含むインターネット信号を配信する。
【００３４】
受信装置は、制御データパケットの制御データを復号して、放送局、放送チャンネル、番組名、放送時間帯など、コントロールすべきパケットに関する、各種データを得ることがでる。
【００３５】
なお実施形態では、差分情報の伝送手段としてインターネットを例示するが、差分情報の伝送手段は、放送電波が利用されてもよい。また差分情報の伝達経路は、記憶媒体（ＵＳＢメモリ、ＣＤ，ＤＶＤ，ブルーレイディスク、磁気ディスクなど）が販売ルートを介在していてもよい。また実施形態では、主映像データに関しても、放送波を受信し復調して当該主映像データを復調している。しかしこの構成に限らず、インターネット、或いは記憶媒体を介在して、前記主映像データが取得されてもよい。
【００３６】
従って上記した受信機４１、復調部４２は、第１の受信部、或いは第１の取得部と称されてもよい。またモデム４５は、第２の取得部と称されてもよい。取得部は、接続端子、或いは記録メディアの再生部等を含む。
【００３７】
図４は、上記したように配信される主映像データ及び差分情報を受信するための受信装置のブロック構成例を示している。
【００３８】
受信機４１は、放送局から配信された電波を受信し、例えばユーザが指定した放送局及びチャンネルを選択する。選択されたチャンネル信号は、信号処理部３０内の復調部４２に入力される。復調部４２は、チャンネル信号から番組を復調する。この段階では、番組データは、制御データパケットなどを含むストリームとして復調される。
【００３９】
主映像データパケットストリームは、デコーダ４３において、映像データパケット、音声データパケット内の各データが復号される。
【００４０】
一方、モデム４５は、インターネット２８を介して、サーバー２７をアクセスし、差分情報を含むパケットのストリームを取得することができる。或いは、サーバー２７が、差分情報パケットストリームを自動的に配信してくることができる。モデム４５で取得された、差分情報パケットストリームは、信号処理部３０内のデコーダ４６において復号される。
【００４１】
識別情報分離部４４は、各パケットのヘッダを認識し、ストリームに含まれるパケットの種別を識別する。ユーザ操作により視聴する番組名が指定されていた場合、システム制御器５１の制御に基づき、識別情報分離部４４は指定された番組名のパケットが到着したとき、デコーダ４３に対して指定されている番組名のパケットの取り込み及びデコードを指示することができる。またシステム制御器５１の制御に基づき、識別情報分離部４４は、指定されている番組名の差分情報パケットを検出したとき、デコーダ４６に対しても指定されている番組名のパケットの差分情報パケットの取り込み及びデコードを指示することができる。
【００４２】
差分情報パケットは、モデム４５から出力されるストリームから選択される場合と、記録再生装置５０から再生される場合がある。
【００４３】
差分情報は、対応する番組の放送が開始される前に配信される場合があるからである。対応する番組の放送が開始される前に配信された差分情報パケットストリームは、記憶装置５０に格納されている。差分情報パケットストリームは、識別情報毎（番組名毎）に分離されて、差分情報ファイルに格納されている。
【００４４】
録画予約されている番組の場合、或いは、複数の番組を同時記録する装置（タイムシフト機能つき装置）により記録される番組の場合、記録再生装置５０には、差分情報ファイルと、主映像データファイルが用意されている。そして、対応する差分情報パケットストリームと主映像データファイルが、差分情報ファイルと主映像データファイルに格納されている。ユーザが視聴希望の番組名を指定すると、指定した番組名の主映像データパケットと差分情報パケットが読み出され、デコーダ４３、４６においてそれぞれデコードされる。
【００４５】
また、復調部４２とモデム４５からそれぞれ出力される各ストリームには、制御データパケットが含まれる。制御データパケットは、システム制御器５１に取り込まれて、データエリアのデータが復号される。
【００４６】
制御データパケットには、コントロールすべきパケットに関する情報が含まれている。システム制御器５１により制御データパケットが参照される。そしてシステム制御器５１の制御に基づいて、記録再生装置５０では、複数のチャンネルテーブルが生成され、各チャンネルテーブル上に複数の番組名テーブルが生成されることができる。また各番組名テーブル上には、放送時間帯情報、コントロールすべきパケットの種類・データエンコード方式・パケット数などを示すテーブルが格納される。さらにまた、差分情報、主映像データの記録位置などを示す管理ファイルも生成される。
【００４７】
これらの情報は、所謂管理領域の管理情報に基づいて制御され、記録再生装置５０の記録媒体（ハードディスク、及びまたは光ディスク、DRAMメモリ）に記録される。
【００４８】
システム制御器５１により、管理情報が読み出されて識別情報が解析された場合、システム制御器５１は任意の番組の主映像データパケットの記録位置、対応する差分情報パケットを把握することができる。
【００４９】
よって、ユーザが、操作手段を介して所望のチャンネル及び番組を選択したとき、選択された番組の主映像データパケット、差分情報パケットが記録再生装置５０で再生され、デコーダ４３、４６から復号された主映像データ、復号された差分情報を得ることができる。
【００５０】
このとき主映像データのフレーム先頭（垂直同期期間）には、ベースバンドタイムスタンプが含まれている。このベースバンドタイムスタンプは、分離されて出力される。
【００５１】
また差分情報のフレーム先頭（垂直同期期間）にもベースバンドタイムスタンプが含まれている。このベースバンドタイムスタンプは、分離されて出力される。
【００５２】
なお６９は、オンスクリーンディスプレイ（ＯＳＤ）回路であり、システム制御器５１の制御に基づいて、番組表、メニュー、操作手順、操作ボタン、案内などの映像を表示することができる。
【００５３】
上記の説明は、主映像データとこれに対応する差分情報が予め記録再生装置５０に格納されている場合を説明した。しかしこの動作例は、一例であって、主映像データ及び差分情報の再生態様は、各種可能である。
【００５４】
例えば、復調部４２からオンエアー（或いはライブ）で主映像データが再生され出力されているとする。この主映像データに対応する差分情報は、予め記録再生装置５０に格納されているとする。この場合は、自動的に或いはユーザの操作に基づいて、記録再生装置５０から上記オンエアーの主映像データに対応する差分情報が再生されることもできる。
【００５５】
他の例として、復調部４２からオンエアー（或いはライブ）で主映像データが再生され出力され、モデム４５からも対応する差分情報が再生される場合もある。
【００５６】
更に他の例として、復調部４２からオンエアー（或いはライブ）で主映像データが再生され出力される。一方、対応する差分情報は、既に記録再生装置５０に格納されており、主映像データに合成するタイミングで記録再生装置５０から順次読み出されて再生される。またモデム４５からは新しい差分情報が取得され、順次、記録再生装置５０に格納される場合もある。
【００５７】
図５は、上記したデコーダ４３から出力された主映像データ、デコーダ４６から出力された差分情報が合成され、高画質の映像データが得られるまでの信号処理部３０の内部の一例をさらに示している。
【００５８】
デコーダ４３には、例えば６０Ｈｚの主映像データが入力され、デコーダ４６には例えば２４Ｈｚの差分情報が入力されるものとする。なおデコーダ４３、４６に入力する主映像データ、差分情報のフレーム周波数（或いはフィールド周波数）は、システム制御器５１により判定してもよい。
【００５９】
デコーダ４３から出力された主映像データは、プルダウン検出器６１と、画素合成処理器６６に入力する。一方、デコーダ４６から出力された差分情報は、２４Ｈｚ−６０Ｈｚ変換器６２及びスイッチ６３の一方の入力端子に入力する。スイッチ６３の他方の入力端子には、２４Ｈｚ−６０Ｈｚ変換器６２で変換された６０Ｈｚ差分情報が入力する。スイッチ６３は、２４Ｈｚ又は６０Ｈｚの何れか一方の差分情報を選択して、画素合成処理器６６に入力する。
【００６０】
デコーダ４３、４６で得られるベースバンドタイムスタンプは、それぞれ同期制御器６５に入力する。
【００６１】
プルダウン検出器６１は、主映像データ及び又はベースバンドタイムスタンプから、現在処理中の主映像データのソースがフィルムコンテンツかどうかを検出する。プルダウン検出器６１は、差分情報及び又はベースバンドタイムスタンプから、現在処理中の差分情報のソースがフィルムコンテンツかどうかを検出してもよい。さらには、主映像データと差分情報の両方を用いて現在処理中の主映像データのソースがフィルムコンテンツかどうかを検出してもよい。
【００６２】
若し、現在処理中の主映像データのソースがフィルムコンテンツであれば２−３プルダウン処理されている。ソースが２−３プルダウン処理されている場合、フレームの配列順序が図２で説明したルール（２−３パターン）で配列されている。そこで、複数のフレーム遅延器を用いて、２−３パターンが得られる場合を判定し、２−３パターンが得られたら、現在処理中の主映像データのソースはフィルムコンテンツであることを確定する。この確定データは、システム制御器５１に与えられる。システム制御器５１は、現在処理中の主映像データのソースがフィルムコンテンツであり、デコーダ４３に６０Ｈｚの主映像データが入力され、デコーダ４６に２４Ｈｚの差分情報が入力されていることを判断した場合、次の制御を行う。
【００６３】
即ち、２４Ｈｚ−６０Ｈｚ変換器６２で差分情報のフレーム周波数を変換し、スイッチ６３に６０Ｈｚの差分情報を選択させる。これにより、画素合成処理器６６は、６０Ｈｚの主映像データと、６０Ｈｚの差分情報を合成する。この場合、同期制御器６５は、合成される主映像データと差分情報のタイムスタンプが一致するように、主映像データと差分情報の合成タイミングを制御する。なお画素合成により高画質化された映像データを出力すると説明しているが、画素合成に限るものではない。高画質化する方法は各種であり、補間処理技術、超解像度化処理技術など複数の方法がある。
【００６４】
制御方法は各種可能である。例えば、合成前に主映像データと差分情報の画素を何れか一方を、若しくは両方のそれぞれを、複数段の遅延器に入力する。遅延器の遅延量が異なる複数の位置に、画素の取り出し位置をそれぞれ設け、両タイムスタンプのずれに応じて何れかの取り出し位置を選択する。画素の取り出し位置は、両タイムスタンプのずれをなくす位置である。
【００６５】
画素構成処理器６６の高画質映像データは、出力制御部６７に入力する。出力制御部６７は、画質調整（輝度調整、色調整、ガンマ補正などの処理）を行い、使用している表示器に適合する画角の映像データを出力する。
【００６６】
なおシステム制御器５１が、現在処理中の主映像データのソースがフィルムコンテンツであり、デコーダ４３に６０Ｈｚの主映像データが入力され、デコーダ４６にも６０Ｈｚの差分情報が入力されていることを判断した場合、次の制御を行う。即ち、スイッチ６３にデコーダ４６から出力されている６０Ｈｚの差分情報を選択させる。
【００６７】
上記した実施形態は、一例でありこの構成が限定されるものではない。スイッチ６３が省略され、２４Ｈｚ−６０Ｈ変換部６２の出力が、６０Ｈｚ画素合成処理器６６に直接入力される実施形態であってもよい。
【００６８】
なお、差分情報を伴わない標準の映像データが受信されている場合は、デコーダ４３の出力映像データが、画素合成処理６６をスルーして出力制御部６７に入力される。
【００６９】
上記した実施形態は、画素構成処理器６６において、６０Ｈｚの主映像データと６０Ｈｚの差分情報が合成される形態であった。しかし、別の実施形態では、２４Ｈｚの主映像データと２４Ｈｚの差分情報が合成される形態であってもよい。
【００７０】
図６には、２４Ｈｚの主映像データと２４Ｈｚの差分情報が、２４Ｈｚ画素合成処理器７３において、合成される実施形態を示している。この実施形態は、デコーダから出力された６０Ｈｚの主映像データが、６０Ｈｚ−２４Ｈｚ変換器７１とスイッチ７２の一方の入力端子に入力する。６０Ｈｚ−２４Ｈｚ変換器７１から出力される２４Ｈｚの主映像データは、スイッチ７２の他方の入力端子に入力する。スイッチ７２は、６０Ｈｚの主映像データ又は２４Ｈｚの主映像データの何れか一方を、システム制御器５１の制御に基づいて選択し、６０Ｈｚ画素合成処理器６６及び２４Ｈｚ画素合成処理器７３に入力することができる。
【００７１】
この実施形態は、出力制御部６７がフレーム周波数２４Ｈｚに対応できる表示システムに接続される場合には有効である。他の構成部分は、先の図５で説明した実施形態と同じであるから、重複する説明は省略する。
【００７２】
また、この実施形態は、６０Ｈｚ画素合成処理部６６と、２４Ｈｚ画素合成処理部７３とを別々に示しているが、１つの画素合成処理部が６０Ｈｚ処理用と、２４Ｈｚ処理用に切り替えて用いられても良い。この切り替えは、フレーム（或いはフィールド）同期パルスの周波数を切り替えることに、容易に実現することができる。
【００７３】
なお、差分情報を伴わない標準の映像データが受信されている場合は、デコーダ４３の出力映像データが、スイッチ７２で選択され、画素合成処理６６をスルーして出力制御部６７に入力される。
【００７４】
この実施形態は一構成例を示すものであり、スイッチ７２、は省略されて、６０Ｈｚ−２４Ｈｚ変換器７１の出力が２４Ｈｚ画素合成処理器７３に直接入力され、スイッチ６３、２４Ｈｚ−６０Ｈｚ変換器６２が省略されて、デコーダ４６の出力が２４Ｈｚ画素合成処理器７３に直接入力される構成であってもよい。
【００７５】
図７はさらに別の実施形態である。この実施形態は、主映像データ、差分情報が共に２４Ｈｚのフレーム（或いはフィールド）周波数で伝送されてくる場合の信号処理に適している。デコーダ４３の出力は、２４Ｈｚ−６０Ｈｚ変換器７５と、スイッチ７２の一方の入力端子に入力する。２４Ｈｚ−６０Ｈｚ変換器７５の出力は、スイッチ７２の他方の入力端子に入力する。スイッチ７２は、２４Ｈｚ又は６０Ｈｚの主映像データの何れか一方を、システム制御器５１の制御に基づいて、選択して出力を画素合成処理器６６に供給する。他のブロックは、先に説明した図５、図６の場合と同じであるから、重複する説明は省略する。
【００７６】
この実施形態の場合は、画素合成処理器６６において、２４Ｈｚの主映像データと２４Ｈｚの差分情報とが画素合成される場合には、スイッチ７２はデコーダ４３の直接出力を選択し、またスイッチ６３はデコーダ４６の直接出力を選択する。画素合成処理器６６において、６０Ｈｚの主映像データと２４Ｈｚの差分情報とが画素合成される場合には、スイッチ７２は２４Ｈｚ−６０Ｈｚ変換器７５の出力を選択し、またスイッチ６３は２４Ｈｚ−６０Ｈｚ変換器６２の出力を選択する。画素合成処理器６６は、システム制御器５１により、入力データの周波数に応じて２４Ｈｚ対応処理、６０Ｈｚ対応処理に切り替えられる。
【００７７】
なお、差分情報を伴わない標準の映像データが受信されている場合は、デコーダ４３の出力映像データが、スイッチ７２で選択され、画素合成処理６６をスルーして出力制御部６７に入力される。
【００７８】
上記した実施形態において、差分情報は、インターネットを介して送受信されると説明したが、必ずしもインターネットに限定されるものではない。放送波或いは通信チャンネルに空きチャンネルがある場合、この空きチャンネルが伝送手段として利用されてもよい。ここで２−３プルダウン処理された高画質映像データが送受信される場合、差分情報は２４Ｈｚで送信される。これにより、インターネット或いは差分情報の伝送手段に対する冗長成分の増加を低減できる。一方、主映像データは、既存の放送波で搬送し易い周波数である６０Ｈｚに設定されている。
【００７９】
上記した実施形態は、テレビジョン受信装置、ハードディスク及び又は光ディスクを記録再生媒体として利用する情報記録再生装置、タブレット、などに適用可能である。また信号処理部３０は、ハードウエア構成であっても良いし、プログラムによるソフトウエア処理で実現されても良いことは勿論である。さらには、上記の実施形態は、前記プログラムを格納した記録媒体を用いる装置としても実現可能である。
【００８０】
図８（Ａ），（Ｂ）は、ＯＳＤ回路６９から表示器に出力された映像の例を示している。図８（Ａ）は、設定メニュー映像から「フィルムコンテンツに関する設定」を選択した場合に表示さえる映像の例である。この設定画面においては、フィルムコンテンツが配信されたときに、差分情報を自動的に主映像データに合成するか否かを設定することができる。差分情報が自動的に主映像データに合成されることをユーザが希望する場合は、リモートコントローラ操作により、「自動」のボタンを選択して決定ボタンを押すことで、画素合成処理が自動的に実行される。また、図８（Ｂ）のようにフィルムコンテンツの処理が開始された場合、例えばメッセージとして、「この番組はこの番組はフィルムコンテンツから制作されています。高画質生成情報を送信しています。」と言うような意味のテロップが流れるようにしてもよい。
【００８１】
上記した実施形態は、ソフトウエアにおけるプログラムで実現されてもよいし、また該プログラムが記録媒体に記録されている場合も本発明の範疇である。
【００８２】
上記した説明に用いた用語において「部」や「器」は、「装置」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００８３】
発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１０・・・フィルムコンテンツ、１２・・・変換部、１３・・・差分情報生成部、１４、１５・・・６０Ｈｚ変換部、１６、１７・・・セレクタ、１９・・・タイムスタンプ付加部、２１，２５・・・エンコーダ、２２・・・識別情報付加部、２３，２６・・・変調部、２４・・・放送局、２７・・・サーバー、２８・・・インターネット、３０・・・信号処理部、４１・・・受信機、４２・・・復調部、４３，４６・・・デコーダ、４４・・・識別情報分離部、４５・・・モデム、５０・・・記録再生装置、５１・・・システム制御器、６１・・・プルダウン検出器、６２、７５・・・２４Ｈｚ−６０Ｈｚ変換器、６３、７２・・・スイッチ、６５・・・同期制御器、６６・・・画素合成処理器、６７・・・出力制御器、７１・・・６０Ｈｚ−２４Ｈｚ変換器、７３・・・２４Ｈｚ画素合成処理器。
【図１】
2014138201.tif 000003
【図２】
2014138201.tif 000004
【図３】
2014138201.tif 000005
【図４】
2014138201.tif 000006
【図５】
2014138201.tif 000007
【図６】
2014138201.tif 000008
【図７】
2014138201.tif 000009
【図８】
2014138201.tif 000010